(57)【特許請求の範囲】
【請求項１】
天板部に、後方にくびれたくびれ部分を有する小便器用の防臭器であって、
視認用領域を有する本体部と、上下方向より見て前記視認用領域が前記小便器の前記くびれ部分を覆うように、前記本体部を前記天板部に装着するための、前記本体部に組み付けられた装着部とを有し、
前記本体部の視認用領域は、前記小便器の使用者が、当該小便器の使用時に、前記本体部の上方より、当該本体部下方における小便器内への放尿状態を、当該視認領域を介して視認可能なように、透明または半透明に構成されていることを特徴とする小便器用防臭器。
【請求項２】
天板部を有する小便器用の防臭器であって、
視認用領域を有する本体部と、前記視認用領域が前記天板部より前方に位置するように、前記本体部を前記天板部に装着するための、前記本体部に組み付けられた装着部とを有し、
前記本体部の視認用領域は、前記小便器の使用者が、当該小便器の使用時に、前記本体部の上方より、当該本体部下方における小便器内への放尿状態を、当該視認領域を介して視認可能なように、透明または半透明に構成されていることを特徴とする小便器用防臭器。
【請求項３】
請求項１または２記載の小便器用防臭器であって、
前記装着部は、前記天板部の上面に、前記本体部を、粘着性または吸着性をもって脱着可能に装着することを特徴とする小便器用防臭器。
【請求項４】
請求項１、２または３記載の小便器用防臭器であって、
前記本体部は、外部に対して拡散可能に、透明な液体を収容するための収容構造を、前記視認用領域内に有していることを特徴とする小便器用防臭器。
【請求項５】
請求項１、２または３記載の小便器用防臭器であって、
前記本体部は、レンズまたはプリズムとして機能する形状を、前記視認用領域内に有していることを特徴とする小便器用防臭器。
【請求項６】
底壁と、左右側壁部と、後方壁部と、視認用領域を有する天板部とを有し、
前記天板部の視認用領域は、前記小便器の使用者が、当該小便器の使用時に、前記天板部の上方より、当該天板部下方における小便器内への放尿状態を、当該視認領域を介して視認可能なように、透明または半透明に構成されていることを特徴とする小便器。
【請求項７】
請求項６記載の小便器であって、
前後方向に関して、前記天板部の前方向端は、前記小便器の放尿受け入れ口前方向端近傍に位置していることを特徴とする小便器。
【発明の詳細な説明】
【０００１】
【発明の属する技術分野】
【０００２】
本発明は、小便器、特に、公衆便所における小便器利用の快適性を向上させる技術に関するものである。
【０００３】
【従来の技術】
【０００４】
従来、公衆便所等には、たとえば、図６に示すような小便器が用いられてきた。
【０００５】
図中、aは小便器の正面図、bは上面図、cは側面図である。
【０００６】
図示するように、この小便器では、下部の放尿受け入れ口を前方（利用者側）にせり出した形態として、利用者が小便器内に放尿しやすくすると共に、上面図aに示すように上部の天板部を、左右から中央に向かって後方にくびれた形態とすることにより、小便器に近づいた位置からでも利用者が放尿状態を良好に視認可能としている。
【０００７】
そして、これらの形態により、利用者の放尿が小便器に近づいた位置から確実に小便器内になされ、床面などが尿などで汚されないことを確保せんとしている。
【０００８】
【発明が解決しようとする課題】
【０００９】
さて、小便器利用には、小便器内から立ち昇る臭気による不快感を伴うことがある。たとえば、冬場や寒冷地では、小便器内に放出した尿が湯気となり、その湯気や強い臭気が、顔面に向かって立ち昇ってきたり、身体にまとわりついてくることがある。
【００１０】
特に、公衆便所においては、小便器の清掃がゆきとどいていない場合が少なくないことや、また、小便器から立ち昇る湯気や臭気の元が、自身の尿のみならず、見もしらぬ不特定多数の他人の尿によるものをも含んでいる可能性があることを考え合わせると、その不快感には絶大なものがある。
【００１１】
一方で、前述した上部の後方へのくびれを無くしたり、上部を全体として前方に張り出す形態とすれば、ある程度、これらの湯気や臭気は軽減されるが、このようにすると、利用者が放尿状態を確認できなくなってしまうために利用者がより離れた位置から放尿を行い、結果として床面などが尿などで汚されてしまうこととなる
【００１２】
そこで、本発明は、利用者の放尿が確実に小便器内になされることを確保しつつも、小便器を、より快適に利用可能とすることを課題とする。
【００１３】
【課題を解決するための手段】
【００１４】
前記課題達成のために、本発明は、透明もしくは半透明の視認用領域を有する本体部と、上下方向より見て前記視認用領域が前記小便器の前記くびれ部分を覆うように、または、前記視認用領域が前記小便器の天板部より前方に位置するように、前記本体部を前記天板部に装着するための、前記本体部に組み付けられた装着部とを有することを特徴とする小便器用防臭器を提供する。
【００１５】
このような小便器用防臭器によれば、小便器用防臭器の、前記小便器の天板部の前記くびれ部分を覆う部分である視認用領域は、透明もしくは半透明であり、かつ、利用者の顔面と小便器内とは防臭器によって遮られるので、利用者の放尿状態を視認性を確保したまま、小便器からの湯気や臭気の利用者顔面側への立ち昇り等を防ぐことができるようになる。
【００１６】
【発明の実施の形態】
【００１７】
以下、本発明の実施形態について説明する。
【００１８】
まず、第１の実施形態について説明する。
【００１９】
図１に、本実施形態に係る防臭器を適用した小便器を示す。
【００２０】
図中、１が防臭器であり、２は小便器であり、図中、aは防臭器１を設置した小便器２の正面図、bは上面図、cは側面図である。
【００２１】
図中において、防臭器１は、先に図６に示したような上部の天板部２１に後方へのくびれ２２をもつ小便器２の上面に、小便器２上部の天板部の後方へのくびれ２２を覆い、かつ、天板部２１より前方におよそ下部の放尿受け入れ口先方端の位置まで張り出すようにうように、脱着可能に装着されている。防臭器１は、板状の形態を有しており、その大部分が透明または半透明である。なお、図１では、防臭器１に半透明の模様を付した例を示している。
【００２２】
このような防臭器によれば、防臭器１は透明もしくは半透明であり、かつ、小便器２上部の天板部２１の後方へのくびれは防臭器によって覆われるので、防臭器１は利用者の放尿状態を視認性を確保したまま、小便器２内からの湯気や臭気の利用者顔面側への立ち昇りを防ぐことができる。
【００２３】
ただし、防臭器１は、必ずしも、天板部２１より前方に張り出すように装着されるものでなくてもよい。特に、図中、a1の防臭器１を設置した小便器２の正面図、b1の上面図、c1の側面図に示すように、小便器２が放尿受け入れ口が前方にせりだした形状のものでない場合などには、利用者が小便器２に近接して立つことができるので、図示するように、防臭器１で小便器２上部の天板部の後方へのくびれ２２を覆うようにするだけでも、小便器２内からの湯気や臭気の利用者顔面側への立ち昇りを防ぐことができる。
【００２４】
図２に、このような防臭器１の構造例を示す。
【００２５】
図２中、aは防臭器の上面図を、bは底面図を、cは正面図を、dは側面図を表している。
【００２６】
さて、本防臭器１は、大きく分けて、本体部１１と、装着部１２より構成される。
【００２７】
本体部１１は板状の形状を有し、透明なプラスチック、アクリルその他の透明性を有する素材によって形成された部材であり、装着部１２は本体部１１の底面の、左右側部と後方側部に固着された、本体部１１を小便器２上面に脱着可能に装着するための部材である。
【００２８】
装着部１２の下端側は、比較的弱い粘着性を有しており、小便器２上面に、人手によってはがせる程度の粘着力をもって粘着する。一方、装着部１２の下端側は、本体部１１の底面に固着されている。また、装着部２の下端側の粘着性は、小便器２上面からの引きはがしによっては失われない。すなわち、装着部１２によって、本体部１１を、小便器２上面に装着したり脱着することを繰り返すことができる。
【００２９】
このように、装着部１２によって、何度も簡単に、本体部１１を小便器２上面に装脱着可能とすることにより、本体部１１を適宜、簡易に、小便器２から取り外して洗浄することができるようになる。
【００３０】
次に、図２dは、図２a中AA線による本体部１１の断面端部を示したものである。
【００３１】
図示するように、本体部１１は、各々透明な底面板部１１１、仕切り板部１１２、上面板部１１３の３層から形成されている。
【００３２】
そして、底面板部１１１、仕切り板部１１２、上面板部１１３によって仕切られた液室１１４が１または複数形成されている。図２a、ｂ中の破線は、この液室１１４の境界を表したものである。図示した例は、空１６１と海１６２と空１６１に浮かぶ雲１６３と海を疾走する３曹のヨット１６４を防臭器１の模様として設ける場合の例であり、この例では海１６２の部分と、空１６１の雲１６３を除く部分が液室１１４となっている。雲１６３の部分と、海１６２と空１６１の間の部分と、上下左右の側部の部分とは、仕切り板部１１２が存在する部分である。また、３曹のヨット１６４は、上面板部１１３の上面または下面に印刷した模様である。
【００３３】
さて、各液室１１４は、上面板部１１３を貫通する比較的大きな孔である注入孔１１３１と、上面板部１１３を貫通する比較的小さな１または複数の孔である拡散孔１１３２によって外部と連結している。
【００３４】
このような構成において、注入孔１１３１から、着色した防臭液や消臭液や芳香液を各液室１１４にそれぞれ注入することができる。
【００３５】
たとえば、防臭器１が小便器２に装着された状態において、海１６２の部分の液室１１４にはマリンブルー色の透明の芳香液を、空１６１の部分の液室１１４にはスカイブルー色の透明の芳香液液を、注入することができる。そして、これによって、図２fに示すような、透明なマリンブルー色の海と透明なスカイブルーの空と、海を疾走するヨットと、空に浮かぶ雲の模様が、防臭器１上に現れることになる。
【００３６】
そして、各液室１１４に注入した防臭液や消臭液や芳香液は、防臭器１が小便器２に装着された状態において、やがて注入孔１１３１、拡散孔１１３２より徐々に拡散し、小便器２の臭気が和らげられることになる。
【００３７】
したがって、本防臭器１によれば、単に、利用者の放尿状態を視認性を確保したまま、小便器２内からの湯気や臭気の利用者顔面側への立ち昇りを防ぐのみならず、図１に示すように、小便器に装飾性を与えて、その利用を楽しくすると共に、防臭液や消臭液や芳香液によって小便器の臭気をも和らげることができる。
【００３８】
なお、底面板部１１１の底面や、上面板部１１３の上面などは、立ち昇る湯気などによって防臭器１が曇ってしまわぬように、曇り止めの表面処理を施したり、曇り止め液を塗布しておくようにしてもよい。
【００３９】
また、防臭器１には、前述した液室１４や、印刷により、小便器利用のマナーを訴えるメッセージや、広告などの文字を表すようにしてもよい。
【００４０】
以上、本発明の第１実施形態について説明した。
【００４１】
ところで、以上の第１実施形態に係る防臭器１は、以下のような修正を加えてもよい。
【００４２】
すなわち、たとえば、図３aの防臭器１のAA線断面端部に示すように、上面板部１１３を省略し、底面板部１１１、仕切り板部１１２を単一の部材１７１で形成した構成とし、液室１１４の代わりに、防臭液や消臭液や芳香液を入れる液池１７２を設けるようにしてもよい。
【００４３】
また、たとえば、図３ｂに示すように、装着部１２として、吸盤１７３を設けるようにしてもよい。なお、図３中、b1は防臭器１の上面図、b2は正面図、ｂ３は側面図である。
【００４４】
また、たとえば、図ｃに示すように、本体部１１に、曇り止めのためのヒーター線１７４を内蔵し、外部端子１７４１からヒーター線１７４に電力を供給するようにしてもよい。なお、図３中、ｃ1は防臭器１の上面図、ｃ2はAA線断面端部である。
【００４５】
また、たとえば、図ｄのAA線断面端部に示すように、ねじ１７５によって一体化される上面板部１１３と底面板部１１１の間に、リバーサルフィルムのような、模様を描いた透光性のシート１７６を挟めるようにしてもよい。なお、もちろんこの場合、注入孔１１３１や拡散孔１１３２は存在しない。
【００４６】
以下、本発明の第２の実施形態について説明する。
【００４７】
本第２実施形態は、前記第１実施形態における防臭器１の本体部１１を図４に示すように修正したものである。
【００４８】
図４中、aは防臭器の上面図を、bは図４aBB線による断面端部を、図４aCC線による断面端部をを表している。
【００４９】
本第２実施形態において本体部１１は透明な、左右方向中央の位置に、像を拡大する凸レンズ２００を形成する形状を有する部材である。
【００５０】
このような防臭器１を装着した小便器２によれば、利用者は、放尿の際に、凸レンズ２００により、尿や排泄器の状態を拡大して視認することにより、自身の健康状態を確認することができ、また、正しい態勢で放尿を行うことができるようになる。また、このような拡大レンズにより、利用者の諸兄に非日常的な映像を提供することにより、利用者に、小便器２の利用に際し、愉快性を与えることができる。
【００５１】
なお、本第２実施形態に係る本体部１１は、凸レンズ２００に代えて、図４のd1のBB線断面端部、d２のCC線断面端部に示すような像が遠くに見える凹レンズ２０１や、e1のBB線断面端部、e２のCC線断面端部に示すような像に歪みを与える変形レンズ２０２や、その他のレンズやプリズムを形成する形状としてもよい。このようにしても、利用者に非日常的な映像を提供することができ、利用者に、小便器２利用に際し、それぞれのレンズの提供する像に応じた性質の愉快性を与えることができる。
【００５２】
以上、本発明の第２実施形態について説明した。
【００５３】
以下、本発明の第３の実施形態について説明する。
【００５４】
本第３実施形態は、前記第１、第２実施形態に係る防臭器１の機能を、小便器２の一部として設けたものである。
【００５５】
図５に、本実施形態に係る小便器を示す。
【００５６】
図中、aは小便器３の正面図、bは上面図、cは側面図である。
【００５７】
図示するように、本小便器は、小便器３の上部の天板部３１を、後方へのくびれのない、前方におよそ下部の放尿受け入れ口前方端の位置まで小便器本体部３２より張り出した、前記第１、第２実施形態に係る防臭器１の本体部１１と同様な構造の板状の部分として構成したものである。
【００５８】
このようにしても、前記第１、第２実施形態と同様の効果を得ることができる。
【００５９】
ただし、天板部３１は、必ずしも、前方に張り出すように装着されるものでなくてもよい。特に、図中、a1の小便器２の正面図、b1の上面図、c1の側面図に示すように、小便器３を放尿受け入れ口が前方にせりだした形状のものでないものとする場合などには、利用者が小便器本体部３２に近接して立つことができるので、図示するように、天板部３１を小便器本体部３２より張り出さずとも、小便器３内からの湯気や臭気の利用者顔面側への立ち昇りを防ぐことができる。
【００６０】
なお、このように、防臭器１の機能を小便器３の一部として設ける場合には、洗浄や交換の便のためなどに、天板部３１を、小便器本体部３２から、脱着可能に、ねじその他の留め具で装着できるようにしてもよい。または、小便器本体部に、天板部３１を差し込む溝を形成し、この溝に天板部３１を差し込むことにより、小便器本体部３２に天板部３１をを装着するようなものとしてもよい。
【００６１】
【発明の効果】
以上のように、本発明によれば、利用者の放尿が確実に小便器内になされることを確保しつつも、小便器を、より快適に利用可能とすることができる。
【図面の簡単な説明】
【図１】本発明の第１実施形態に係る防臭器を設置した小便器を表す図である。
【図２】本発明の第１実施形態に係る防臭器の構造を示す図である。
【図３】本発明の第１実施形態に係る防臭器の修正例を示す図である。
【図４】本発明の第２実施形態に係る防臭器の構造を示す図である。
【図５】本発明の第３実施形態に係る小便器を示す図である。
【図６】従来の小便器を示す図である。
【符号の説明】
１；防臭器、２；小便器、３；小便器、１１；本体部、１２；装着部、１１１；底面板部、１１２；仕切り板部、１１３；上面板部、１１４；液室、１７２；液池、１７３；吸盤、１７４；ヒーター線、１７５；ねじ、１７６；模様を描いた透光性のシート、２００、２０１、２０２；レンズ、１１３１；注入孔、１１３２；拡散孔、１７４１；外部端子
【図１】
0003940248.tif 000002
【図２】
0003940248.tif 000003
【図３】
0003940248.tif 000004
【図４】
0003940248.tif 000005
【図５】
0003940248.tif 000006
【図６】
0003940248.tif 000007